(57)【要約】【課題】１、装置を必要とせず、２、メールを受け取るとすぐにシステムが起動し、３、分割したファイルを添付したメール、などの一連の複数のメールを、同時に処理する事が出来る、４、そして、添付ファイルを自動で、メールと切り離した、ファイルに転換し、５、スマホとパソコンで互換するデータ通信を、メールを用いた通信手段で開発する。【解決の手段】メールに自動で（７）添付データ、（９）識別コード（１０）アプリコード（１１）コマンドコードを添付して送信し、受信すると、（１）送受信アプリが、（９）識別コードの一致により起動、抽出振り分けを行い、（１０）アプリコードの一致により、アプリが、起動して、（１８）コマンド実行ファイルに渡すなどして、コマンド実行する事によってデータ通信する。【選択図】図１
2014211860.tif 000002
【特許請求の範囲】
【請求項１】
メールにドキュメントデータと、受信メールの中からシステムに送られてきたメールだけを抽出する為の識別コード（９）と、どのアプリに送られてきたか、そのアプリがキャッチする為のアプリコード（１０）その他、コピー、返信、格納等のコマンドを指示するコマンドコード（１１）を添付して送る事で、識別コード（９）、アプリコード（１０）の一致により起動するシステムを用いて、余計な装置を必要とせず、不適切なメール受信が相次ぐなかでも、確実にデータが、ファイルとして格納され、その為、連続したデータ通信でも、余計な作業をしなくて済むデータ通信システム
【請求項２】
あらかじめ約束した形式でデータを変換して送信し、必要な形式に変換して受け取る通信手段を用いて、ＯＳやアプリケーションの違いを超えて互換通信する通信システム。
【請求項３】
請求項１の通信の時に、識別コード（９）を対照する送受信アプリ（１）に登録し、この通信の用に用いる前提のアプリケーションソフトまたは、変換アプリ。
【請求項４】
請求項１の通信で通信したあと、請求項２を実現する、既存のソフトのドキュメントファイルに変換するコンバーターもしくは、変換アプリ。
【発明の詳細な説明】
【０００１】携帯パソコン間のメールによるアプリデータ通信システム
【技術分野】
【０００２】本発明はアプリケーションのドキュメントデータをパソコンと携帯及び携帯間どうしで、やりとりする通信技術に関する。
【背景技術】
【０００３】スマホとパソコンの双方でやり取りする通信手段の開発の際に拒絶通知によって、特開２００８−１８１１９１の先行特許のメールを用いた通信手段が指摘された。しかし、この特許は、メールを抽出するのに、一定時間ごとに見回るなど装置としてファイルを格納する装置であった。この装置は、ストレージ装置であり、スマホ側で、受け取る時に、余計なメールの中から抽出してファイルとして受け取る事は、考慮されておらず、これをスマホに適用するなら、装置をスマホの側にも、取りつけなくてはならなくなる。また、迷惑メールが、多い昨今では、メールを使用しないと言う人がいるほど、余計なメールが入ってくる場合も多く、その中から、送られてきたメールを探さなければならず不便かつ不確実であるが、この装置のシステムでは、スマホに送られてきた添付ファイルを自動でファイルに変換して保存しようとする為には、装置を取りつけなければならなくなる。
また、パソコンから送られて来たファイルを編集してもう一度、パソコンのファイルを上書きしなおす場合、コマンドを、メールに添付し、ファイルと一緒に送る為には、わざわざ、添付ファイルをファイルに戻し、編集した後、ストレージ装置の手順をはじめからする必要があり余分な装置も装着せねばならず不便である。又、後に出願した、巨大サイズのファイルを複数のメールにファイルを分割して送り、受信側が合成して、巨大なファイルを送る方法を用い様とした場合、スマホ側にも分割して送る装置や、合成アプリに引き渡す為の、装置が必要と成ってくる。その他、スマホとパソコンで約束した形式の添付ファイルを約束にしたがって、受け取る側のデータ形式に変換して、スマホとパソコン間で互換通信する為に、データ変換アプリに渡す必要があるが、その為には、特開２００８−１８１１９１のストレージ装置をスマホ側にも装着しなければならなくなる。特開２００８−１８１１９１は、ストレージ装置であり、通信に関しては、スマホとパソコン間でのやり取りを考慮されたものではなく、邪魔な装置を必要とし、また、送受信アプリがない為に、以上の様な欠点を有している。【０００４】また、特願２０１３−１６９００９で、メールに分割したファイルを添付して送信し、合成することで、巨大ファイルを送受信する事を可能にしたが、それを可能にするのが、本願特許であった。
本出願は、分割出願ではあるが、本出願の為に特願２０１３−１６９００９の特許が認められなくならず、また、逆に普通の出願にして、特願２０１３−１６９００９が影響して特願２０１３−１６９００９が先行技術にならなければ、普通の出願として扱っても良い。
【先行文献】
【０００５】特開２００８−１８１１９１号公報
特願２０１３−１６９００９
【発明の概要】
【０００６】
【発明が解決しようとする課題】
【０００７】１、装置を必要とせず、２、メールを受け取るとすぐにシステムが起動し、３、分割したファイルを添付したメール、などの一連の複数のメールを、スマホ側でも装置なしに、分割したファイルを合成する合成アプリに引き渡せ４、または、添付ファイルを自動で、約束に従ったスマホデータに変換するデータ変換アプリに渡したり、５、添付ファイルを、メールから切り離したファイルとして格納するアプリに渡し、格納したり、５、スマホとパソコンで互換するデータ通信をしたり出来る、メールを用いた通信手段で開発する。
【問題を解決する手段】
【０００８】まず、受信メールの中から（１）送受信アプリに送られてきたメールだけを抽出する為の（９）識別コードや、どのアプリに送られてきたかを識別する（１０）アプリコードおよび、（１２）合成指示コードなどのコマンドを指示する（１１）コマンドコードなどの（８）識別プログラムを、アプリを操作する事により、自動でメールに添付して送る為の（１）送受信アプリを通信する双方にインストールする。その時、同時に双方に（１８）コマンド実行ファイルをインストールする。次に、（５）データ変換アプリを持ち合わせた各種アプリケーションか、データ変換アプリをインストールする。（５）データ変換アプリは、通信に用いるメールに添付するデータ、の処理方法を約束しておき、たとえば、表計算のドキュメントのデータは、マス番号や数式などをディテールとし記号、暗号で、データにして、数値、文章データと合わせて（５）データ変換アプリで、約束した添付ファイルにして送信し、受け取る側が、受け取る側の形式にして変換し受け取り、また、（５）データ変換アプリで約束した添付ファイルに変換して添付し送信することで、やり取りし、スマホとパソコン間等ＯＳの違う、または、ドキュメントの形式の違うファイルを、各アプリケーションをインストールする時に同時にインストールする（５）変換アプリで互換させておく。この時、同時に（１）送受信アプリに（１０）アプリコードが登録される様、送信元アプリに、（１０）アプリコードの、そのアプリ固有の固有番号部を入力して、送信先アドレスを入力する事で、送信側アプリが、送信時に、アプリコードをメールに添付する様にしておき、受信側送受信アプリは、アプリインストール時にアプリコードが、（１）送受信アプリに登録される様にしておく。なお、既存のスマホアプリのストレージとしてパソコンを用いるアプリに関しては、（５）データ変換アプリは、用いずにスマホのデータで保存する。たとえば、写真のファイルなどは、（５）変換アプリを必要としない。また、ワープロは、書式のデータなどは、あまり詳しくデータにせず、一様の形式でディテールを決め文章を重視して互換させる。また、ストレージで、（５）データ変換アプリに渡さず、スマホのデータでストレージする場合、まず、（１）送受信アプリにアプリを登録し、その際、自動でメールに登録の指示が、送信される事により登録され、同時にそのアプリのフォルダが設けられる。そして、その（１０）アプリコードのメールが送られてきたら、そこに、（１８）コマンド実行ファイルがファイルを添付メールから、ファイルに生成して格納する様にしておく。次に、送信に関して、ストレージとしてのものは（１）送受信アプリを用いて、互換通信の物は、その各種アプリを用いて、送信を指示すると、メールに、（８）識別プログラムと、（５）変換アプリが変換したデータファイル又は、ドキュメントファイルを各種アプリまたは、（５）変換アプリが添付して送る。（１）送受信アプリが、（８）識別プログラムの（９）識別コードでメールを抽出し、ストレージの場合は、（１）送受信アプリが（１０）アプリコードを読み取って、そのアプリのフォルダに生成格納し、互換データの場合は、（５）変換アプリが、変換して、（１０）アプリコードが一致したアプリが格納フォルダに格納する。なお、この際、複数のメールに分割されて送られてきたファイルは、先に（４）合成アプリに送られて合成されてから、変換もしくは、生成される。また、その他コードを読み取ってコマンドを実行して、データ通信を行う。
【発明の効果】
【０００９】１、  ストレージ装置などの装置を必要とせず、不要なスペースをとらない為スマホ側でも、装置不要で、添付ファイルからファイルを自動で生成格納出来、２、その為すぐに、編集して、パソコンのファイルを上書き出来るなど、双方間の通信が、便利になる。３、また、ファイルサイズに制限なく転送する為の特願２０１３−１６９００９を実現出来る。３、また、一定時間に見回る為に起こるタイムラグを無くせる。４、雑多なメールの中からシステムに送られてきたメールだけを抽出してファイルでアプリ毎に整理され受け取れるため、保存の手間が省けるほか、迷惑メールの多い昨今では、非常に有利な方法である。５、また、スマホドキュメントファイルをパソコンのドキュメントファイルに変換する為の約束した添付データを受け取る側の形式で変換することで、スマホとパソコンの間でファイルの互換した通信をスムーズに行える。また、ＯＳが違うスマホ間、タブレット間でも利用出来る。５、メールに添付したデータを、ドキュメントファイルにして格納し、呼び出しコマンドで呼び出した時でも、呼び出したデータを、ファイルとして格納する、完成された通信である為、連続したデータ通信を、余計な作業なしで行える。
【発明を実施する為の形態】
【００１０】まずスマホとパソコンで互換する添付ファイルを約束しておき、たとえば表計算ソフトならマスの番号や数式などのディテール情報を記号もしくは暗号データにし、数値文字など入力データを加えて、プログラムにして添付ファイルの（７）添付データとする。その他必要な（８）識別プログラムと合わせて添付ファイルとし、送受信する時、送信する為のアプリを操作する事で、（５）データ変換アプリが約束したデータに変換してメールに添付して送信する。あるいは、家計簿ソフトなら、スマホ側では、項目にデータを入力し、入力データを約束しておいて、パソコンで集計し、表のデータに変えるなどするようにしておく。
実施の形態としては、（１８）コマンド実行ファイルを含む、（１）送受信アプリを通信する双方にインストールする。次に（５）データ変換アプリを含むアプリケーションを双方にインストールする。ただし、パソコンで、直接既存ソフトのデータに変換して保存する場合は、（５）変換アプリのみをインストールする。この時変換する既存アプリを選択できるようにして、多種多様に互換できる様にしても良いかもしれない。
次に、はじめにスマホまたは、パソコンで作成するデータをパソコンで作成した場合は、ドキュメントファイルをコピーして、アプリケーションのフォルダに移す。スマホで作成したものは、スマホの（１）送受信アプリのアイコンをタップし、現れる送受信ＢＯＸの、（１６）Ｐの列の下に羅列された、アプリ名をタップする。（１６）Ｐは、互換通信のアプリをインストールすると、アプリ名が載る様になっていて、アプリ名の下に、格納ファイルのファイル名が載る様になっている。そのアプリ名をタップすると、メニューに呼び出し、転送、上書き、削除などが、載っている。呼び出しを選択し決定すると、ファイル名を記入する欄が現れるので、記入しその下のあて先を選択または、記入して、ＯＫする。なお、ファイル名は、混乱を避けるため、半角カタカナ、半角英数のみを用いる様にしておく。ＯＫすると、（９）識別コードと（１０）アプリコード、（１１）コマンド指示コードなどが、メールに添付され、送信される。パソコンにメールが届くと、（９）識別コードにより、（１）送受信アプリが、取得して、事前に受信アドレス登録されてある場合で、送受信アプリにアプリコードが登録されていない場合、（１６）Ｐに渡す。（１６）Ｐでは、各アプリが、（１０）アプリコードの一致を待っていて、一致すると取得起動する。アプリは、添付ファイルを読み取り、（１１）コマンドコードに従い、アプリのフォルダ内のファイル名が同じファイルを見つけ、（１１）コマンドコードが（５）データ変換アプリに渡す。（５）データ変換アプリが、変換して（４）分割アプリに渡し、分割するかどうかを測り、分割するものは、分割し、各ファイルに（１２）合成指示コードを載せる。順次、（１）送受信アプリに送られ、（８）識別プログラムを付けて、送信される。次にこれをスマホが受信すると、（８）識別プログラムの（９）識別コードで（１）送受信アプリが取得し、（１６）Ｐにある、そのアプリが順次取得する。（１２）合成指示コードに従い、ファイルを合成生成し、（５）変換アプリで変換して、このアプリのフォルダに格納する。
次にこのファイルを、（１）送受信アプリのアイコンをタップして現れる送受信ＢＯＸの（１６）Ｐの欄の下のソフト名下にファイル名が、表示されるので、タップしてファイルを開く。ファイルを開くとドキュメントになっているので、編集して作業を進める。編集してパソコンのファイルを上書きする場合は、一旦閉じて、送受信ＢＯＸのソフト名をタップし、今度は上書きをタップする。今回は、ファイル名は、ファイルで決まっており、送信先アドレスもアプリが記憶しているので、ファイルを選択してＯＫすれば、（５）変換アプリに渡され、変換されて、（４）分割アプリに送られ、分割されるものは、分割されて、（１２）合成指示コードを付け加え、複数のメールに添付して送られる。詳細は、先に示した。パソコンは、受け取って、合成生成し、変換されて、前ファイルを削除し、パソコンのファイルになって格納される。スマホで、新規にパソコンのドキュメントファイルとして、保存したい場合は、転送をタップする。ファイルを選択するとファイル作成時のファイル名が記入され、送信先アドレス記入の欄に記入して、ＯＫすると、パソコン側のアプリのフォルダ内にデータ変換され、生成され格納される。
次に、既存のアプリのパソコンへのストレージとして、用いる場合、送受信ＢＯＸの（１７）Ｆをクリックすると、アプリ登録ボタンが現れるので、タップし、アプリ選択画面が表示される。ここで表示されるのは、既存のアプリだけである。アプリを選択しＯＫすると、（１）送受信アプリに登録され（１０）アプリコードを付与される。
同時に送信先アドレスを聞いてくるので、パソコンのアドレスを選択または、記入する。すると、パソコンにメールでその旨が伝えられ、（１０）アプリコードが（１）送受信アプリに記憶され、そのアプリのフォルダが、ふたつ作られる。ひとつは、ストレージフォルダ、もうひとつはストックフォルダである。ストレージフォルダは、送信の際に、半角カタカナ半角英数で、ファイル名を付けたものだけが、保存され、次回、呼び出す事が出来るファイルを保存する。ストックフォルダは、パソコンにデータを送りっぱなしにして、以降呼び出さないファイルを保存する。
双方の送受信ＢＯＸのＦのしたに、アプリ名が載る。スマホのアプリ名をタップすると、ストック転送、ストレージ転送、上書き、呼び出しが、選べる。ストック転送とストレージ転送の違いは、あとで、呼び出せる様に、ファイル名を半角カタカナと半角英数で登録するものは、ストレージ転送で転送し、写真の様にパソコンにデータをストックするものは、ストック転送でパソコンにストックされる。
ストック転送をタップすると、アプリドキュメント選択画面が現れる。ドキュメントをひとつでも複数でも選択して、転送フォルダに格納し、アドレスを選択または、記入する。ＯＫすると、（４）分割ファイルが、フォルダ内ファイルを、添付許容範囲で、振り分けまたは、分割し、分割したものは、（１２）合成指示コードを付けて、メールに添付し、送信する。受信したメールは、ストックフォルダ内に生成される。なお、一度に処理するに不適当と思われる場合は、ストックフォルダに転送出来るファイルサイズ合計を決めておき、その範囲で行う。
次にストレージ転送をする場合、ストレージ転送をタップすると、ドキュメント選択画面で、ドキュメントを選択すると、ファイル名が半角カタカナと半角英数でないものは、ファイルネームの書き換えを求められる。書き換えて、アドレス選択または、記入し、送信をタップすると、スマホのデータのまま送信される。受信したパソコンは、（９）識別コードで（１）送受信アプリが、取得し、（１）送受信アプリに（１０）アプリコードが登録されているので、そのアプリのフォルダのストレージフォルダ内にファイルを生成する。
呼び出す時は、アプリ名をタップし、呼び出しをタップすると、ファイル名閲覧とアプリ名記入が選べる。ファイル名がわかる場合は、記入し、分からない場合は、ファイル名閲覧をタップする。すると、メールに（１４）コマンド指示コードを添付してメールが送られ、ファイル名一覧のデータが、返信される。なお、実現に無理がある場合は、この処理は省くが、話を進めると、送信した後、送受信ＢＯＸの（１７）Ｆのした、のアプリ名の下に、ファイルと言う表示で、届きます。と言うメッセージを表示する。ファイルと言う表示をタップすると、一覧がある。呼び出したいファイルのファイル名を覚えて、もう一度今度は、アプリ名記入を選択し、記入して、ＯＫすると、（９）識別コード、（１０）アプリコード、（１１）コマンドコードなど、（８）識別プログラムを添付して、送信され、受け取ると、そのアプリのフォルダの、ストレージフォルダの、そのドキュメントファイルをコピーして、返信し、スマホで生成されて、呼び出されます。
上書きは、呼び出されたファイルを、編集し、保存して、送受信ＢＯＸのファイル名をタップすると、アドレスを聞いてくるので選択または、記入してＯＫすると、メールに識別プログラムと、編集したファイルを添付し、送信され、同じファイル名の前ファイルを削除して、そのフォルダに生成する事で、上書きされます。
なお、転送に際して、同じファイル名のファイルがあった場合は、２などの、数字をファイル名の後ろに付け、保存すると共に、その旨を返信する。
また、互換アプリ、ソフトをスマホとパソコンの双方で、インストールすると、（１）送受信アプリにアプリ登録される様にしておき、受信すると、そのアプリの（５）変換アプリに渡され変換されて、互換通信出来る様にしておく。
【００１１】なお、（１）送受信アプリに受信アドレスを登録して、複数のアドレスのストレージに用いたり、ドキュメント毎にフォルダを設け、ドキュメント毎に、フォルダが、閲覧許可アドレスや、書き換え許可アドレスを覚える様にして、共有出来る様にしたりしても良い。
【００１２】また、特願２０１３−１６９００９の添付サイズを超えるファイルを転送する為の、ファイル分割アプリと合成アプリが双方にインストールされる様に、（１）送受信アプリのインストール時に同時にインストールする。
【図面の簡単な説明】
【００１３】
【図１】送受信時のデータ処理  （１）送受信アプリ  （２）送信部  （３）受信部  （４）合成分割アプリ  （５）変換アプリ  （６）メール  （７）添付データ  （８）識別プログラム  （９）識別コード  （１０）アプリコード  （１１）コマンドコード  （１２）合成指示コード  （１３）変換指示コード  （１４）コマンド指示コード  （１５）受信登録アドレス  （１６）任意の場所Ｐ  （１７）任意の場所Ｆ  （１８）コマンド実行ファイル
【図１】
2014211860.tif 000003